【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
下記の（a）〜（c）から成る、ポリエチレンを製造するための重合反応装置に触媒スラリーを供給するための装置：
（ａ）炭化水素希釈剤または鉱油中に固体触媒粒子が懸濁した濃縮された触媒スラリーを収容するための一つまたは複数の貯蔵タンク（2）、
（ｂ）この貯蔵タンク（2）に一つまたは複数の管路を介して接続された、重合反応に適した濃度に希釈された触媒スラリーを収容するための撹拌槽（3）であって、希釈された触媒スラリーを撹拌槽（3）から反応装置（1）へ移送するための一つまたは複数の管路を備えた撹拌槽（3）、
（ｃ）希釈された触媒スラリーを前記撹拌槽（3）から反応装置（1）へ移送するための上記撹拌槽（3）を重合反応装置に接続する一つまたは複数の管路（4）であって、各管路はスラリーを反応装置（1）へポンプ輸送するためのメンブレンポンプ（5）を備え、このメンブレンポンプ（5）は反応物の濃度の関数で制御可能である管路（4）。
【請求項２】
触媒スラリーを貯蔵タンク（2）から撹拌槽（3）へ移すための一つまたは複数の管路が希釈剤の噴射手段を有する請求項1に記載の装置。
【請求項３】
触媒スラリーを貯蔵タンク（2）から撹拌槽（3）へ移すための一つまたは複数の管路が触媒スラリーを第１の貯蔵タンク（2）から撹拌槽（3）へ移すための第１の管路（6）を有し、この第１の管路（6）は、触媒スラリーを第2の貯蔵タンク（2）から撹拌槽（3）へ移すための第２の管路（７）と、第１の手段（6）と第2の手段（7）とを連結しているライン（8）を介して、切り換え可能である請求項1または2に記載の装置。
【請求項４】
触媒スラリーを貯蔵タンク（2）から撹拌槽（3）へ移すための管路（6、7）の各々がライン（8）の下流に計量弁（9）を有する請求項１〜３のいずれか一項に記載の装置。
【請求項５】
触媒スラリーを貯蔵タンク（2）から撹拌槽（3）へ移すため一つまたは複数の管路の各々がポンプ（50）を有する請求項1または2に記載の装置。
【請求項６】
濃縮した触媒スラリーを貯蔵タンク（2）からバッファタンク（3）へ移すための各管路に設けられた上記ポンプ（50）がプログレッシブキャビティーポンプである請求項５に記載の装置。
【請求項７】
希釈された触媒スラリーを撹拌槽（3）から反応装置（1）に移すための上記管路（4）に設けられた、触媒の流速を測定するための流速測定手段（10）をさらに有する請求項1〜６のいずれか一項に記載の装置。
【請求項８】
触媒スラリーを貯蔵タンク（2）から撹拌槽（3）に移すための上記管路（4）に設けられた、触媒の流速を測定するための流速測定手段（10）をさらに有する請求項1、2および5〜7のいずれか一項に記載の装置。
【請求項９】
触媒スラリーを反応装置中に噴射する前に一定量の助触媒を触媒スラリーと接触させるための助触媒供給システムをさらに有し、この助触媒供給システムは助触媒貯蔵タンク（11）と助触媒を移送するためのそれに連結した管路（12）とを有する請求項１〜８のいずれか一項に記載の装置。
【請求項１０】
上記管路（4）がこの管路（4）内での触媒スラリーと助触媒との接触時間を長くするための接触タンクを備えている請求項１〜９のいずれか一項に記載の装置。
【請求項１１】
重合反応装置（1）がポリエチレン、好ましくはビモダル（bimodal）なポリエチレンを製造するのに適したものである請求項1〜10のいずれか一項に記載の装置。
【請求項１２】
触媒がメタロセン触媒である請求項１〜４、７および９〜１１に記載の装置。
【請求項１３】
触媒が一般式：ＭＸｎを有するチグラー−ナッタ触媒（ここで、Ｍは第IV〜VII族から選択される遷移金属化合物、Ｘがハロゲン、ｎは金属の原子価である）である請求項1、2および５〜11のいずれか一項に記載の装置。
【請求項１４】
助触媒が一般式ＡｌＲ3またはＡｌＲ2Ｙを有するハロゲン化されていてもよい有機アルミニウム化合物（ここで、Ｒは１〜１６個の炭素原子を有するアルキルであり、各Ｒは互いに同一でも異なっていてもよく、Ｙは水素またはハロゲンである）である請求項１〜１３のいずれか一項に記載の装置。
【請求項１５】
下記の（１）〜（４）の段階を有する、ポリエチレンを製造するための重合反応装置（1）への触媒スラリーの供給を最適化する方法：
（１）一つまたは複数の貯蔵タンク中に炭化水素希釈剤または鉱油中に固体触媒粒子が懸濁した濃縮された触媒スラリーを用意し、
（２）この濃縮された触媒スラリーを重合反応に適した濃度に希釈し、この希釈を貯蔵タンクから撹拌槽へ移送する間に行ない、希釈された触媒スラリーを保持し、
（３）必要な場合には、貯蔵タンク中で触媒スラリーをさらに希釈し、
（４）希釈された触媒スラリーを一つまたは複数の管路（4）を介して、この管路（4）に設けたポンプ手段（5）を用いて撹拌槽（3）から重合反応装置（1）へ制御された流速でポンプ輸送する。
【請求項１６】
ビモダルなポリエチレンを製造するための重合反応装置（1）への触媒スラリーの供給を最適化するための請求項15に記載の方法。
【請求項１７】
触媒スラリーが炭化水素の希釈剤によって０．１〜10重量％の濃度に希釈される請求項15または16に記載の方法。
【請求項１８】
撹拌槽（3）中での希釈剤と触媒との間の比を制御することによって触媒スラリーを撹拌槽（3）から重合反応装置（1）へ制御された流速で移送する請求項15〜17のいずれか一項に記載の方法。
【請求項１９】
反応装置に前記触媒スラリーを噴射する前に所定量の助触媒を触媒スラリーと接触させる請求項15〜18のいずれか一項に記載の方法。
【請求項２０】
管路（4）中で助触媒を触媒スラリーと接触させる請求項19に記載の方法。
【請求項２１】
管路（4）の容積を局所的に大きくすることによって管路（4）中での助触媒と触媒スラリーとの接触時間を長くする請求項19または20に記載の方法。
【請求項２２】
反応装置（1）中の反応物、好ましくはエチレンの濃度を決定することによって撹拌槽（3）から重合反応装置（1）への触媒スラリーの流速を制御する請求項15〜21のいずれか一項に記載の方法。
【請求項２３】
管路を介して撹拌槽（3）から反応装置（1）へ触媒スラリーを適当な流速で連続的に供給する請求項15〜22のいずれか一項に記載の方法。
【請求項２４】
触媒がメタロセン触媒、好ましくは担持されたメタロセン触媒である請求項15〜23のいずれか一項に記載の方法。
【請求項２５】
触媒が一般式：ＭＸｎを有するチグラー−ナッタ触媒（ここで、Ｍは第IV〜VII族から選択される遷移金属化合物、Ｘがハロゲン、ｎは金属の原子価である）である請求項15〜23のいずれか一項に記載の方法。
【請求項２６】
助触媒が一般式ＡｌＲ3またはＡｌＲ2Ｙを有するハロゲン化されていてもよい有機アルミニウム化合物（ここで、Ｒは１〜１６個の炭素原子を有するアルキルであり、各Ｒは互いに同一でも異なっていてもよく、Ｙは水素またはハロゲンである）である請求項15〜25のいずれか一項に記載の方法。
【請求項２７】
請求項１〜４、７、９〜12および14のいずれか一項に記載の装置の、ポリエチレンを製造する重合反応装置へのメタロセン触媒スラリーの調製および供給を最適化するための使用。
【請求項２８】
請求項１、２、５〜11および13〜14のいずれか一項に記載の装置の、ポリエチレン、好ましくはビモダル（bimodal）なポリエチレンを製造する重合反応装置（1）へのチーグラー‐ナッタ触媒の調整および供給を最適化するための使用。